(57)【要約】【課題】他の機器からの連絡に連動して、自機器における設定状態を変更すること。【解決手段】１つの態様において、携帯電子機器（例えば、携帯電話１）は、通信部と、緊急情報を受信した場合に、自機器における各種制御に関する現在の設定状態を他の設定状態に変更するコントローラとを有する。例えば、携帯電子機器（例えば、携帯電話１）は、防犯ブザーの作動を検出した旨の通知を受信すると、自機器に搭載された機能の実行制御に関する現在の設定状態が、自機器に搭載された全ての機能を実行可能な設定状態である場合には、前記全ての機能のうち、少なくとも１つの機能が使用不可の状態、あるいは使用制限の状態となる設定状態に変更する。【選択図】図１
2014027566.tif 000002
【特許請求の範囲】
【請求項１】
通信部と、
緊急情報を受信した場合に、自機器における各種制御に関する現在の設定状態を他の設定状態に変更するコントローラと
を有する携帯電子機器。
【請求項２】
前記コントローラは、現在の設定状態よりも消費電力の少ない設定状態に変更する請求項１に記載の携帯電子機器。
【請求項３】
前記コントローラは、自機器に搭載された機能の実行制御に関する現在の設定状態が、自機器に搭載された機能の全てを実行することができる設定状態である場合には、前記全ての機能のうち、少なくとも１つの機能が使用不可の状態、あるいは使用制限の状態となる設定状態に変更する請求項１または２に記載の携帯電子機器。
【請求項４】
前記コントローラは、前記緊急情報を受信したときに実行中の機能がある場合に、該実行中の機能を停止させるか否かを利用者に問合せる確認画面を表示する請求項３に記載の携帯電子機器。
【請求項５】
前記コントローラは、自機器の報知制御に関する現在の設定状態が、利用者に対して、音による報知は行わない設定状態である場合には、音による報知を行う設定状態に変更する請求項１〜４のいずれか１項に記載の携帯電子機器。
【請求項６】
通信部を有する携帯電子機器によって実行される制御方法であって、
緊急情報を受信するステップと、
緊急情報を受信した場合に、自機器における各種制御に関する現在の設定状態を他の設定状態に変更するステップと
を含む制御方法。
【請求項７】
通信部を有する携帯電子機器に、
緊急情報を受信するステップと、
緊急情報を受信した場合に、自機器における各種制御に関する現在の設定状態を他の設定状態に変更するステップと
を実行させる制御プログラム。
【請求項８】
第１の機器と、第２の機器とを含む制御システムであって、
前記第１の機器は、
前記第２の機器に対して所定の通知を送信する契機となるイベントを検出した場合に、前記第２の機器に対して前記所定の通知を送信し、
前記第２の機器は、
前記第１の機器から前記所定の通知を受信した場合に、自機器における各種制御に関する現在の設定状態を他の設定状態に変更する
制御システム。
【発明の詳細な説明】
【技術分野】
【０００１】
本出願は、携帯電子機器、制御方法、制御プログラム及び制御システムに関する。
【背景技術】
【０００２】
近年、子供の安全性確保の観点から、子供向けの携帯電話にセキュリティ機能を搭載するものが多数存在する。例えば、子供が所持する携帯電話にて防犯ブザーが作動すると、緊急連絡先に対する自動発呼を行ったり（特許文献１参照）、子供の現在位置を示す位置情報が添付された緊急メッセージを、予め設定された宛先へ送信したりするものが開示されている（特許文献２参照）。
【先行技術文献】
【特許文献】
【０００３】
【特許文献１】特開２００６−２７０７２７号公報
【特許文献２】特開２０１１−１５１７５１号公報
【発明の概要】
【発明が解決しようとする課題】
【０００４】
携帯電話は、多機能化によって、電力の消費量が多くなる傾向にある。緊急の連絡を受けた際に、子供の携帯電話との連絡を継続させるためには、連絡を受けた端末の電力を持続させることが好ましい。
【０００５】
上記のことから、他の機器からの連絡に連動して、自機器における設定状態を変更できる携帯電子機器、制御方法、制御プログラム及び制御システムに対する必要性がある。
【課題を解決するための手段】
【０００６】
１つの態様に係る携帯電子機器は、通信部と、緊急情報を受信した場合に、自機器における各種制御に関する現在の設定状態を他の設定状態に変更するコントローラとを有する。
【０００７】
１つの態様に係る制御方法は、通信部を有する携帯電子機器によって実行される制御方法であって、緊急情報を受信するステップと、緊急情報を受信した場合に、自機器における各種制御に関する現在の設定状態を他の設定状態に変更するステップとを含む。
【０００８】
１つの態様に係る制御プログラムは、通信部を有する携帯電子機器に、緊急情報を受信するステップと、緊急情報を受信した場合に、自機器における各種制御に関する現在の設定状態を他の設定状態に変更するステップとを実行させる。
【０００９】
１つの態様に係る制御システムは、第１の機器と、第２の機器とを含む制御システムであって、前記第１の機器は、前記第２の機器に対して所定の通知を送信する契機となるイベントを検出した場合に、前記第２の機器に対して前記所定の通知を送信し、前記第２の機器は、前記第１の機器から前記所定の通知を受信した場合に、自機器における各種制御に関する現在の設定状態を他の設定状態に変更する。
【図面の簡単な説明】
【００１０】
【図１】図１は、実施形態１に係る携帯電話のブロック図である。
【図２】図２は、実施形態１に係る携帯電話の処理の概要を示す図である。
【図３】図３は、実施形態２に係る携帯電話による処理手順の一例を示す図である。
【図４】図４は、実施形態２に係るサーバによる処理手順の一例を示す図である。
【図５】図５は、実施形態２に係るサーバによる処理手順の一例を示す図である。
【図６】図６は、実施形態２に係る情報端末による処理手順の一例を示す図である。
【図７】図７は、実施形態２に係る携帯電話による処理手順の一例を示す図である。
【図８】図８は、実施形態２に係るサーバによる処理手順の一例を示す図である。
【図９】図９は、実施形態２に係るサーバによる処理手順の一例を示す図である。
【図１０】図１０は、実施形態２に係る情報端末による処理手順の一例を示す図である。
【図１１】図１１は、実施形態２に係る携帯電話による処理手順の一例を示す図である。
【図１２】図１２は、実施形態３に係る携帯電話による処理手順の一例を示す図である。
【図１３】図１３は、省電力モードへの変更操作を受け付けるための確認ウィンドウを待受画面に表示する例を示す図である。
【図１４】図１４は、実施形態４に係る携帯電話による処理手順の一例を示す図である。
【図１５】図１５は、実施形態５に係る携帯電話による処理手順の一例を示す図である。
【図１６】図１６は、実施形態６に係る携帯電話による処理手順の一例を示す図である。
【発明を実施するための形態】
【００１１】
本発明を実施するための実施形態を、図面を参照しつつ詳細に説明する。以下では、携帯電子機器の例として、携帯電話について説明する。
【００１２】
（実施形態１）
図１を参照しながら、実施形態１に係る携帯電話１の機能的な構成について説明する。図１は、実施形態１に係る携帯電話のブロック図である。図１に示すように、携帯電話１は、ディスプレイ２と、ボタン３と、照度センサ４と、近接センサ５と、通信ユニット６と、マイク８と、ストレージ９と、コントローラ１０と、スピーカ１１と、カメラ１２と、姿勢検出ユニット１５と、バイブレータ１８と、タッチスクリーン２１とを備える。
【００１３】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１４】
ボタン３は、利用者からの操作入力を受け付ける。ボタン３の数は、単数であっても、複数であってもよい。
【００１５】
照度センサ４は、携帯電話１の周囲光の照度を検出する。照度は、光の強さ、明るさ、又は輝度を示す。照度センサ４は、例えば、ディスプレイ２の輝度の調整に用いられる。
【００１６】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００１７】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００１８】
通信ユニット６は、ＧＰＳ衛星からの所定の周波数帯の電波信号を受信し、受信した電波信号の復調処理を行って、処理後の信号をコントローラ１０に送出する。携帯電話１００は、ＧＰＳ衛星との通信機能を通信ユニット６から分散させて、通信ユニット６から独立した個別の通信部を設けてもよい。
【００１９】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２０】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２に画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２１】
ストレージ９は、例えば、制御プログラム９Ａ、通話アプリケーション９Ｂ、及び設定データ９Ｚなどを記憶する。通話アプリケーション９Ｂは、無線通信による通話のための通話機能を提供する。音楽再生アプリケーション９Ｃは、音楽データから音を再生するための音楽再生機能を提供する。動画再生アプリケーション９Ｄは、動画データから動画及び音を再生するための動画再生機能を提供する。地図表示アプリケーション９Ｅは、地図データをディスプレイ２に表示させるための地図表示機能を提供する。設定データ９Ｚは、携帯電話１の動作に関連する各種の設定及び処理に関する情報を含む。例えば、設定データ９Ｚには、後述する携帯電話１００を一意に識別することができる識別情報が含まれる。携帯電話１００を一意に識別することができる情報には、たとえば、個体識別番号やＩＰアドレス、電話番号などがある。
【００２２】
制御プログラム９Ａは、携帯電話１を稼働させるための各種制御に関する機能を提供する。携帯電話１を稼働させるための各種制御に関する機能には、以下のものが含まれる。例えば、通信ユニット６及びマイク８等を制御することによって、通話に関する処理を実現させるための機能が含まれる。例えば、通信ユニット６等を制御することによって、基地局を介した情報通信に関する処理を実現させるための機能が含まれる。例えば、通信ユニット６等を制御することによって、Ｂｌｕｅｔｏｏｔｈ（登録商標）などを用いた近距離通信に関する処理を実現させるための機能が含まれる。例えば、カメラ１２を制御することにより、画像の撮影に関する処理を実現させるための機能が含まれる。例えば、ディスプレイ２に画像を表示するときの輝度調整や消灯時間に関する処理を実現させるための機能が含まれる。例えば、姿勢検出ユニット１５の検出結果に応じてディスプレイ２に表示中の画像の方向を調整する処理を実現させるための機能が含まれる。例えば、コントローラ１０にて利用される、いわゆる内部クロックのクロック周波数が含まれる。例えば、テザリングに関する処理を実現させるための機能が含まれる。例えば、通信ユニット６から受信したＧＰＳ衛星からの電波信号に基づく位置測位に関する処理を実現させるための機能が含まれる。例えば、上述した各種アプリケーションに関する処理を実現させるための機能が含まれる。制御プログラム９Ａが提供する機能は、上述した通話アプリケーション９Ｂ等の他のプログラムが提供する機能と組み合わせて利用されることがある。
【００２３】
さらに、制御プログラム９Ａには、特定の端末を送信元とする通知を受信した場合に、自機器における各種制御に関する現在の設定状態を他の設定状態に変更する機能が含まれる。特定の端末を送信元とする通知には、例えば、防犯ブザーが作動したことを示す通知、水没を検出したことを示す通知、衝撃を検出したことを示す通知など、子供が所持する携帯電話（後述する携帯電話１００）から送信される通知が含まれる。これらの通知は、子供が緊急事態に陥っている可能性のある緊急性の高い情報である。例えば、制御プログラム９Ａには、後述する携帯電話１００から送信される上記通知を受信した場合に、携帯電話１の各種制御に関する現在の設定状態（動作モード）を他の設定状態に変更する機能が含まれてもよい。
【００２４】
さらに、制御プログラム９Ａには、変更後の設定状態の解除を要求する解除操作があった場合、変更後の設定状態を解除して、元の設定状態へ復帰させる機能が含まれてもよい。
【００２５】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１の動作を統括的に制御して各種の機能を実現する。
【００２６】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。通信を実現する場合、コントローラ１０は、ストレージ９に記憶されているデータ及びプログラムに含まれる命令に応じて通信ユニット６を制御する。制御した通信ユニット６によって、コントローラ１０は、基地局によって割り当てられるチャネルを介して基地局との間で無線信号回線を確立する。無線信号回線を確立した後、コントローラ１０は、基地局を介して、通信（電話通信及び情報通信）を実行する。機能部は、例えば、ディスプレイ２、通信ユニット６、マイク８、スピーカ１１、バイブレータ１８を含むが、これらに限定されない。コントローラ１０は、検出部の検出結果に応じて、制御を変更することがある。検出部は、例えば、ボタン３、照度センサ４、近接センサ５、カメラ１２、姿勢検出ユニット１５、及びタッチスクリーン２１を含むが、これらに限定されない。
【００２７】
コントローラ１０は、例えば、制御プログラム９Ａを実行することにより、緊急情報を受信した場合に、自機器における各種制御に関する現在の設定状態を他の設定状態に変更する。緊急情報には、防犯ブザーが作動したことを示す通知、水没を検出したことを示す通知、衝撃を検出したことを示す通知が含まれる。例えば、コントローラ１０は、後述する携帯電話１００から送信される上記通知を受信した場合に、携帯電話１の各種制御に関する現在の設定状態を他の設定状態に変更する。以下では、説明の便宜上、携帯電話１の各種制御に関する設定状態を動作モードと表記する。
【００２８】
実施形態１において、携帯電話１に設定される動作モードには、携帯電話１に搭載された機能の全てを実行することができる通常モードと、携帯電話１に搭載された全ての機能のうち、少なくとも１つを実行することができないように制御する省電力モードがある。
【００２９】
通常モードでは、特段の制限なく、携帯電話１に搭載された機能の全てを実行することができる。例えば、通常モードでは、特段の制限なく、通信ユニット６及びマイク８等を制御することによって、通話に関する処理を実行する。例えば、通常モードでは、特段の制限なく、通信ユニット６等を制御することによって、基地局を介した情報通信に関する処理を実行する。例えば、通常モードでは、特段の制限なく、通信ユニット６等を制御することによって、Ｂｌｕｅｔｏｏｔｈ（登録商標）などを用いた近距離通信に関する処理を実行する。例えば、通常モードでは、特段の制限なく、カメラ１２を制御することにより、画像の撮影に関する処理を実行する。例えば、通常モードでは、ディスプレイ２に画像を表示するときの輝度、あるいは消灯までの時間を変更しない。例えば、通常モードでは、特段の制限なく、姿勢検出ユニット１５の検出結果に応じてディスプレイ２に表示中の画像の方向を調整する。例えば、通常モードでは、特段の制限なく、コントローラ１０にて、いわゆる内部クロックのクロック周波数を最大値のままで利用する。例えば、通常モードでは、特段の制限なく、テザリングでの利用を可能とする。例えば、通常モードでは、特段の制限なく、通信ユニット６から受信したＧＰＳ衛星からの電波信号に基づく位置測位に関する処理を実行する。例えば、通常モードでは、特段の制限なく、上述した各種アプリケーションに関する処理を実行する。
【００３０】
省電力モードでは、通常モードに比べて携帯電話１の消費電力が少なくなる。省電力モードでは、例えば、携帯電話１に搭載された全ての機能うち、少なくとも１つを使用不可の状態あるいは使用制限の状態にする。例えば、省電力モードでは、基地局を介した情報通信に関する処理のうち、ＷｉＭＡＸなどの一部の高速無線通信の使用を不可とする。例えば、省電力モードでは、Ｂｌｕｅｔｏｏｔｈ（登録商標）などを用いた近距離通信の使用を不可とする。但し、省電力モードへの変更時、既に、近距離通信を使用中である場合は、使用を継続させてもよい。例えば、省電力モードでは、テザリングでの使用を不可とする。例えば、省電力モードでは、コントローラ１０にて利用される、いわゆる内部クロックのクロック周波数を最大値よりも低い値に制限する（つまり、処理速度を制限する）。例えば、省電力モードでは、カメラ１２による撮影を不可とする。例えば、省電力モードでは、ディスプレイの輝度を最小値に調整する（つまり、ディスプレイ２の明るさを制限する）。例えば、省電力モードでは、ディスプレイ消灯までの時間を最短にする（つまり、ディスプレイ２の点灯時間を制限する）。例えば、省電力モードでは、上述した各種アプリケーションのうち、音楽再生アプリケーション９Ｃや動画再生アプリケーション９Ｄの使用を不可とする。
【００３１】
さらに、コントローラ１０は、例えば、制御プログラム９Ａを実行することにより、省電力モードの解除操作があった場合、省電力モードを解除して、通常モードに復帰させてもよい。
【００３２】
本出願において、コントローラ１０がプログラム（又は、アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００３３】
図１においてストレージ９が記憶するプログラム及びデータの一部又は全部は、通信ユニット６による無線通信で他の装置からダウンロードされてもよい。図１においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００３４】
マイク８は、音を入力する音入力部である。マイク８は、入力される音を電気信号へ変換する。スピーカ１１は、音を出力する音出力部である。スピーカ１１は、気導方式で音を出力することで、出力した音を離れた人へ伝えることができる。スピーカ１１は、例えば、ダイナミックスピーカである。スピーカ１１は、例えば、通話中の音声、音楽コンテンツ又は動画コンテンツなどの音を出力するために用いられる。
【００３５】
カメラ１２は、撮影した画像を電気信号へ変換する。カメラ１２には、例えば、ディスプレイ２に面している物体を撮影するインカメラ、ディスプレイ２の反対側の面に面している物体を撮影するアウトカメラが含まれる。
【００３６】
姿勢検出ユニット１５は、携帯電話１の姿勢を検出する。姿勢検出ユニット１５は、姿勢を検出するために、加速度センサ、方位センサ、及びジャイロスコープの少なくとも１つを備える。
【００３７】
バイブレータ１８は、携帯電話１の一部又は全体を振動させる。バイブレータ１８は、振動を発生させるために、例えば、圧電素子、又は偏心モータなどを有する。バイブレータ１８による振動は、着信等の各種のイベントを利用者に報知するために用いられる。
【００３８】
タッチスクリーン２１は、タッチスクリーン２１に対する接触を検出する。コントローラ１０（携帯電話１）は、タッチスクリーン２１によって検出される接触に基づいて、指、スタイラス、ペン等（以下、単に「指」という）を用いてタッチスクリーン２１に対して行われる各種操作（ジェスチャ）を検出する。例えば、タッチスクリーン２１は、タッチセンサを有する。タッチセンサは、タッチスクリーン２１への指の接触を、接触された場所のタッチスクリーン２１上での位置とともに検出し、コントローラ１０に通知する。コントローラ１０が、タッチスクリーン２１を介して検出する各種操作（ジェスチャ）には、例えば、タッチ、ロングタッチ、リリース、スワイプ、タップ、ダブルタップ、ロングタップ、ドラッグ、フリック、ピンチイン、及びピンチアウトが含まれるがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。
【００３９】
図１に示した携帯電話１の機能的な構成は例であり、本発明の要旨を損なわない範囲において適宜変更してよい。例えば、携帯電話１は、照度センサ、近接センサ、姿勢検出ユニット、タッチスクリーンなどを備えていなくてもよい。
【００４０】
図２を参照しながら、実施形態１に係る携帯電話１００の機能的な構成について説明する。図２は、実施形態１に係る他の携帯電話のブロック図である。図２に示すように、携帯電話１００は、通信部１１０と、操作部１２０と、表示部１３０と、防犯ブザー作動検出部１４０と、水没検出部１５０と、衝撃検出部１６０と、音声処理部２００と、記憶部３００と、制御部４００とを備える。
【００４１】
通信部１１０は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット１１０は、上述した通信規格の１つ又は複数をサポートしていてもよい。
【００４２】
通信部１１０は、ＧＰＳ衛星からの所定の周波数帯の電波信号を受信し、受信した電波信号の復調処理を行って、処理後の信号を制御部４００に送出する。携帯電話１００は、ＧＰＳ衛星との間で通信を行う通信部と、基地局との間で通信を行う通信部とを、機能的及び物理的に分散させてもよい。
【００４３】
操作部１２０は、例えば、数字キー、方向キー、決定キー、発信キー等の機能が割り当てられた複数のキーを有する。そして、これらのキーが利用者の操作により入力されると、操作部１２０は、その操作内容に対応する信号を発生させる。発生した信号は、利用者の指示として制御部４００へ入力される。
【００４４】
表示部１３０は、例えば、ディスプレイ又はモニタを有し、制御部４００から供給される映像データに応じた映像や画像データに応じた画像を表示パネルに表示させる。
【００４５】
防犯ブザー作動検出部１４０は、防犯ブザーの作動操作を検出する。例えば、防犯ブザー作動検出部１４０は、利用者の操作により、例えば、ストラップ紐に接続されたスイッチ部材が所定の位置に移動したことを検出する。防犯ブザーの作動操作は、ストラップ紐に接続されたスイッチ部材の構成に限らず、操作を検出できればよい。防犯ブザー作動検出部１４０は、防犯ブザーの作動操作を検出すると、防犯ブザーが作動したことを示す作動信号を制御部４００に送出する。制御部４００は、防犯ブザー作動検出部１４０から作動信号を受信すると、スピーカ２２０から防犯用のブザー音を出力させる。
【００４６】
水没検出部１５０は、例えば、水分検知センサを備え、携帯電話１００の中に所定量よりも多い水分を検出すると、水没を検出したことを示す水分検出信号を制御部４００に送出する。
【００４７】
衝撃検出部１６０は、例えば、衝撃検知センサを備え、携帯電話１００に対する所定値以上の衝撃を検出すると、衝撃を検出したことを示す衝撃検出信号を制御部４００に送出する。衝撃検知センサには、例えば、３軸の加速度センサを１つ、又は１軸の加速度センサを３つで構成できる。加速度センサには、ＭＥＭＳ（Ｍｉｃｒｏ  Ｅｌｅｃｔｒｏ  Ｍｅｃｈａｎｉｃａｌ  Ｓｙｓｔｅｍ）、動電式あるいは圧電式のものなど、任意の検出方式のものを採用できる。
【００４８】
音声処理部２００は、マイク２１０に入力される音を電気信号したり、電気信号を音に変換してスピーカ２２０及びレシーバ２３０から出力したりするなどの処理を実行する。
【００４９】
記憶部３００は、制御部４００での処理に利用される各種プログラム及び各種データを記憶する。記憶部３００には、携帯電話１に対して所定の通知を送信する契機となるイベントを検出した場合に、携帯電話１に対して所定の通知を送信するためのプログラムが記憶される。このイベントには、防犯ブザーの作動、水没の検出、所定値以上の衝撃の検出が含まれる。さらに、このイベントには、携帯電話１への位置通知（たとえば、親による居場所確認や定期的な居場所通知）のための測位処理の実行、所定の場所からの移動検出（例えば、学校からの出発）などが含まれる。
【００５０】
制御部４００は、記憶部３００に記憶されている各種プログラム及び各種データに基づいて処理を実行する。制御部４００は、例えば、マイクロプロセッサユニットで構成され、記憶部３００に記憶されるプログラムから命令コードを順次読み込んで、読み込んだ命令コードで指示された手順に従って携帯電話１００の各種の処理を実行する。
【００５１】
例えば、制御部４００は、記憶部３００に記憶されているデータ及びプログラムに含まれる命令に応じて通信部１１０を制御し、基地局によって割り当てられるチャネルを介して基地局との間で無線信号回線を確立した後、基地局を介して、例えば、上述した携帯電話１との通信（電話通信及び情報通信）を実行する。
【００５２】
さらに、制御部４００は、携帯電話１に対して所定の通知を送信する契機となるイベントを検出した場合に、携帯電話１に対して所定の通知を送信する。例えば、制御部４００は、防犯ブザーが作動したことを示す作動信号を受け付けた場合、携帯電話１に対して、防犯ブザーが作動したことを示す通知を送信する。例えば、制御部４００は、水没を検出したことを示す水没検出信号を受け付けた場合、携帯電話１に対して、水没を検出したことを示す通知を送信する。例えば、制御部４００は、所定値以上の衝撃を検出したことを示す衝撃検出信号を受け付けた場合、携帯電話１に対して、衝撃を検出したことを示す通知を送信する。
【００５３】
図３を参照して、実施形態１に係る処理の一例を説明する。図３は、実施形態１に係るシステムにおける処理の流れを示す図である。例えば、携帯電話１は、親が使用し、携帯電話１００は、子供が使用する。
【００５４】
図３に示すように、携帯電話１００は、携帯電話１に対して所定の通知を送信する契機となるイベントを検出すると（ステップＳ１０１）、携帯電話１に対して所定の通知を送信する（ステップＳ１０２）。所定の通知には、例えば、防犯ブザーが作動したことを示す通知、水没を検出したことを示す通知、衝撃を検出したことを示す通知の他、携帯電話１への位置通知（たとえば、親による居場所確認や定期的な居場所通知）や、所定の場所からの出発通知（例えば、学校からの出発）が含まれる。携帯電話１００は、所定の通知をメールで送信する際に、通知の内容を識別可能な識別子やパラメーラをヘッダに挿入する。
【００５５】
携帯電話１は、携帯電話１００から所定の通知を受信すると（ステップＳ１０３）、動作モード変更処理を実行する（ステップＳ１０４）。コントローラ１０は、所定の通知のメールヘッダに挿入された識別子やパラメータに基づいて、通知の内容を識別するものとする。
【００５６】
図４は、実施形態１に係る携帯電話１による処理手順の一例を示す図である。図４は、携帯電話１において動作モードを通常モードから省電力モードに変更するときの処理手順の一例である。図４に示す処理手順は、コントローラ１０が、ストレージ９に記憶されている制御プログラム９Ａなどを実行することによって実現される。
【００５７】
携帯電話１００から所定の通知を受信すると、コントローラ１０は、図４に示すように、ステップＳ２０１として、現在の動作モードが省電力モードであるかどうかを判定する。コントローラ１０は、判定の結果、現在のモードが省電力モードではない場合（つまり通常モードである場合）には（ステップＳ２０１、Ｎｏ）、ステップＳ２０２として、動作モードを、通常モードから省電力モードへ変更する。続いて、コントローラ１０は、ステップＳ２０３として、省電力モードに従って各種機能の制御を実行し、図４に示す処理手順を終了する。
【００５８】
コントローラ１０は、ステップＳ２０１において、判定の結果、現在のモードが省電力モードである場合には（ステップＳ２０１、Ｙｅｓ）、そのまま、図４に示す処理手順を終了する。
【００５９】
図４に示す処理手順において、携帯電話１００から受信した通知が緊急性の高いものであるかどうかを判定するようにしてもよい。図５は、実施形態１に係る携帯電話１による処理手順の他の例を示す図である。図５は、携帯電話１において実行される動作モード変更処理の処理手順の他の例である。図５に示す処理手順は、コントローラ１０が、ストレージ９に記憶されている制御プログラム９Ａなどを実行することによって実現される。制御プログラム９Ａには、携帯電話１００から受信した通知が緊急性の高いものであるかどうかを判定する機能が含まれる。コントローラ１０は、制御プログラム９Ａを実行することにより、携帯電話１００から受信した通知が緊急性の高いものであるかどうかを判定する。
【００６０】
携帯電話１００から所定の通知を受信すると、コントローラ１０は、図５に示すように、ステップＳ３０１として、所定の通知の内容が緊急性の高いものであるかどうかを判定する。例えば、コントローラ１０は、所定の通知が、防犯ブザーが作動したことを示す通知、水没を検出したことを示す通知、又は衝撃を検出したことを示す通知である場合には、緊急性の高いものと判定する。一方で、コントローラ１０は、所定の通知が、例えば、携帯電話１００からの位置通知や出発通知などである場合には、緊急性の高いものとは判定しない。つまり、所定の通知の内容が、携帯電話１００の利用者が危険な状況に陥る可能性があると判断できるものであるか否を、緊急性の高いものであると判定する際の基準とする。
【００６１】
コントローラ１０は、判定の結果、所定の通知の内容が緊急性の高いものではない場合には（ステップＳ３０１、Ｎｏ）、図５に示す処理手順を終了する。一方、コントローラ１０は、判定の結果、所定の通知の内容が緊急性の高いものである場合には（ステップＳ３０１、Ｙｅｓ）、ステップＳ３０２として、現在の動作モードが省電力モードであるかどうかを判定する。コントローラ１０は、判定の結果、現在のモードが省電力モードではない場合（つまり通常モードである場合）には（ステップＳ３０２、Ｎｏ）、ステップＳ３０３として、動作モードを、通常モードから省電力モードへ変更する。続いて、コントローラ１０は、ステップＳ３０４として、省電力モードに従って各種機能の制御を実行し、図５に示す処理手順を終了する。
【００６２】
コントローラ１０は、ステップＳ３０２において、判定の結果、現在のモードが省電力モードである場合には（ステップＳ３０２、Ｙｅｓ）、そのまま、図５に示す処理手順を終了する。
【００６３】
図６は、実施形態１に係る携帯電話１による処理手順の一例を示す図である。図６は、携帯電話１において動作モードを省電力モードから通常モードに復帰させるときの処理手順の一例である。図６に示す処理手順は、コントローラ１０が、ストレージ９に記憶されている制御プログラム９Ａなどを実行することによって実現される。制御プログラム９Ａには、利用者から、省電力モードの解除操作を受け付けるための確認ウィンドウを表示させる機能が含まれる。コントローラ１０は、制御プログラム９Ａを実行することにより、省電力モードの解除操作を受け付けるための確認ウィンドウをディスプレイ２に表示させる。
【００６４】
コントローラ１０は、ステップＳ４０１として、省電力モードの解除操作を受け付けたかどうかを判定する。
【００６５】
図７〜図１０は、省電力モードの解除操作を受け付けるための一例を示す図である。
【００６６】
図７は、省電力モードの解除操作を受け付けるための確認ウィンドウを待受画面に表示する例を示している。図７に示すように、ディスプレイ２に表示される待受画面４０には、壁紙４１が表示される。壁紙４１は、フォトスクリーン、バックスクリーン、アイドル画像又は背景画像と呼ばれることもある。携帯電話１は、任意の画像を壁紙４１として用いることができる。携帯電話１は、壁紙４１として表示する画像を利用者が選択できるように構成されてもよい。壁紙４１には、時間及び曜日の情報が重ねて表示される。図７に示すディスプレイ２の上端には、領域４２が設けられる。領域４２には、電源の残量を示す残量マーク４３、通信用の電波の電界強度を示す電波レベルマーク（アンテナピクト）４４が表示される。
【００６７】
さらに、待受画面４０には、省電力モードの解除操作を受け付けるための確認ウィンドウ４０ａが表示される。確認ウィンドウ４０ａは、省電力モードを解除する為の操作を受け付けることができる。コントローラ１０は、タッチスクリーン２１を介して、確認ウィンドウ４０ａに表示された「Ｙｅｓ」に箇所に対するタッチを検出した場合には、省電力モードの解除操作を受け付けたものと判定する。一方、コントローラ１０は、タッチスクリーン２１を介して、確認ウィンドウ４０ａに表示された「Ｎｏ」に箇所に対するタッチを検出した場合には、例えば、確認ウィンドウ４０ａの表示をディスプレイ２から消去する。そして、コントローラ１０は、例えば、一定時間経過後に再び待受画面４０がディスプレイ２に表示されたときに、再び、待受画面４０に確認ウィンドウ４０ａを表示させる。
【００６８】
図８は、省電力モードの解除操作を受け付けるための操作画面をディスプレイ２に表示する例を示している。図８に示すように、コントローラ１０は、例えば、タッチスクリーン２１を介して、指Ｆ１による待受画面４０に対して水平下向きのタッチジェスチャ（例えば、領域４２から領域の反対側で水平に移動するスワイプ）を検出すると（ステップＳ１１）、ディスプレイ２に、動作モード設定画面５０を表示させる（ステップＳ１２）。コントローラ１０は、タッチスクリーン２１を介して、動作モード設定画面５０に表示された「ＯＦＦ」の箇所に対するタッチを検出した場合には、省電力モードの解除操作を受け付けたものと判定する。
【００６９】
図９は、省電力モードの解除操作を受け付けるための確認ウィンドウを通話終了画面に表示する例を示している。図９は、例えば、親が、子供との通話を終了した後の画面であり、通話により子供の安全を確認できた後に、省電力モードを解除する場合を想定したものである。図９に示すように、コントローラ１０は、通話終了時に、通話終了画面６０をディスプレイ２に表示させる。通話終了画面６０には、通話時間の情報と、省電力モードの解除操作を受け付けるための確認ウィンドウ６０ａが表示される。コントローラ１０は、タッチスクリーン２１を介して、確認ウィンドウ６０ａに表示された「Ｙｅｓ」に箇所に対するタッチを検出した場合には、省電力モードの解除操作を受け付けたものと判定する。一方、コントローラ１０は、タッチスクリーン２１を介して、確認ウィンドウ６０ａに表示された「Ｎｏ」に箇所に対するタッチを検出した場合には、例えば、確認ウィンドウ６０ａの表示をディスプレイ２から消去する。コントローラ１０は、タッチスクリーン２１を介して、所定のタッチジェスチャを検出した場合、図８に示す動作モード設定画面５０をディスプレイ２に表示させるようにしてもよい。
【００７０】
図１０は、省電力モードの解除操作を受け付けるための確認ウィンドウを地図表示画面に表示する例を示している。図１０は、例えば、親が、子供の位置情報を地図データに表示したときの画面であり、地図データの表示に関わる処理負荷に対応するために、省電力モードを解除する場合を想定したものである。図１０に示すように、コントローラ１０は、地図表示画面７０をディスプレイ２に表示させる。地図表示画面７０には、子供の位置Ｐ１が表示された地図と、省電力モードの解除操作を受け付けるための確認ウィンドウ７０ａが表示される。コントローラ１０は、タッチスクリーン２１を介して、確認ウィンドウ７０ａに表示された「Ｙｅｓ」に箇所に対するタッチを検出した場合には、省電力モードの解除操作を受け付けたものと判定する。一方、コントローラ１０は、タッチスクリーン２１を介して、確認ウィンドウ７０ａに表示された「Ｎｏ」に箇所に対するタッチを検出した場合には、例えば、確認ウィンドウ７０ａの表示をディスプレイ２から消去する。コントローラ１０は、タッチスクリーン２１を介して、所定のタッチジェスチャを検出した場合、図８に示す動作モード設定画面５０をディスプレイ２に表示させるようにしてもよい。
【００７１】
コントローラ１０は、判定の結果、省電力モードの解除操作を受け付けていない場合には（ステップＳ４０１、Ｎｏ）、図６に示す処理手順を終了する。すなわち、コントローラ１０は、省電力モードによる各種機能の制御を継続する。
【００７２】
一方、コントローラ１０は、判定の結果、省電力モードの解除操作を受け付けた場合には（ステップＳ４０１、Ｙｅｓ）、ステップＳ４０２として、動作モードを、省電力モードから通常モードへ変更する。続いて、コントローラ１０は、通常モードで各種機能の制御を実行し、図６に示す処理手順を終了する。
【００７３】
実施形態１では、携帯電話１は、携帯電話１００からの所定の通知を受信した場合に、動作モードを省電力モードに変更する。このように、実施形態１によれば、携帯電話１００からの連絡に連動して、自機器における各種制御に関する設定状態を変更できる。例えば、防犯ブザーが作動したことを示す通知、水没を検出したことを示す通知、衝撃を検出したことを示す通知などの受信に連動して、携帯電話１は動作モードを省電力モードに変更する。このため、携帯電話１は、子供が緊急事態に陥っている可能性が高い場合に消費電力を抑えることができるので、子供の携帯電話との連絡をできるだけ継続させることができる。
【００７４】
実施形態１では、例えば、防犯ブザーが作動したことを示す通知、水没を検出したことを示す通知、衝撃を検出したことを示す通知などの受信に連動して、携帯電話１は動作モードを省電力モードに変更する。このため、携帯電話１は、子供が緊急事態に陥っている可能性が高い場合に消費電力を抑えることができるので、子供の携帯電話との連絡をできるだけ継続させることができる。
【００７５】
実施形態１では、携帯電話１は、動作モードを省電力モードに変更することにより、携帯電話１に搭載された全ての機能のうち、少なくとも１つを実行することができないように制御する。例えば、省電力モードでは、基地局を介した情報通信に関する処理のうち、ＷｉＭＡＸなどの一部の高速無線通信の使用を不可とする。例えば、子供の位置を確認するための機能や通話するための機能以外、つまり、子供の安全を確認するために必須ではない機能を選択的に停止させることにより、携帯電話の消費電力を効率的に抑えることができる。
【００７６】
実施形態１では、所定の通知が、防犯ブザーが作動したことを示す通知、水没を検出したことを示す通知、又は衝撃を検出したことを示す通知である場合には、緊急性の高いものと判定する例を説明したが、これには限定されない。例えば、携帯電話１００が携帯電話１に対して所定の通知を送信する契機となるイベントとして、気象庁が配信する緊急地震速報及び津波警報、地方公共団体が発信する災害情報及び避難情報などの受信を含めておく。そして、携帯電話１は、携帯電話１００から、緊急地震速報などを受信した旨の通知を受信した場合に、子供も緊急事態に陥っている可能性のある緊急性の高い情報を受信したものと判断し、動作モードを省電力モードに変更してもよい。
【００７７】
（実施形態２）
実施形態１において、例えば、所定の通知の内容が緊急性の高いものである場合に、使用不可、又は使用制限の対象とならない機能（ＧＰＳ衛星の電波信号に基づく位置測位機能など）を停止させるか否かを利用者に問合せるようにしてもよい。
【００７８】
図１１は、実施形態２に係る携帯電話１による処理手順の一例を示す図である。図１１は、使用不可、又は使用制限の対象とならない機能を停止させるか否かを利用者に問合せる手順を含む処理手順の一例である。図１１に示す処理手順は、コントローラ１０が、ストレージ９に記憶されている制御プログラム９Ａなどを実行することによって実現される。制御プログラム９Ａには、利用者に対して、使用不可、又は使用制限の対象とならない機能を停止させるか否かを利用者に問合せるための機能が含まれる。コントローラ１０は、制御プログラム９Ａを実行することにより、利用者に対して、使用不可、又は使用制限の対象とならない機能を停止させるか否かを利用者に問合せるための処理を実行する。
【００７９】
携帯電話１００から所定の通知を受信すると、コントローラ１０は、図１１に示すように、ステップＳ５０１として、所定の通知の内容が緊急性の高いものであるかどうかを判定する。
【００８０】
コントローラ１０は、判定の結果、所定の通知の内容が緊急性の高いものではない場合には（ステップＳ５０１、Ｎｏ）、図１１に示す処理手順を終了する。一方、コントローラ１０は、判定の結果、所定の通知の内容が緊急性の高いものである場合には（ステップＳ５０１、Ｙｅｓ）、ステップＳ５０２として、使用不可、又は使用制限の対象とならない機能を停止させるか否かを利用者に問合せる確認ウィンドウをディスプレイ２に表示する。ステップＳ５０２における確認ウィンドウは、例えば、図７〜図１０に示すものと同様の構成を採用できる。
【００８１】
続いて、コントローラ１０は、ステップＳ５０３として、使用不可、又は使用制限の対象とならない機能に対する停止指示操作があったかどうかを判定する。コントローラ１０は、判定の結果、停止指示操作があった場合には（ステップＳ５０３、Ｙｅｓ）、ステップＳ５０４として、問合せ対象となった機能を停止させる。一方、コントローラ１０は、判定の結果、停止指示操作がない場合（例えば、機能の停止させない指示操作があった場合）には（ステップＳ５０３、Ｎｏ）、問合せ対象となった機能を停止させることなく、そのまま、図１１に示す処理手順を終了する。
【００８２】
図１１に示す処理手順によれば、携帯電話１００から緊急性の高い通知を受信したときに、例えば、使用不可、又は使用制限の対象とならない機能を停止させるかどうかを利用者に問合せる。このため、省電力モードへの変更により、以後の使用を制限することができる機能以外についても、利用者の意思に基づいて停止させることができる。この結果、消費電力を最大限に抑えることができる。一方で、利用者の意思に基づいて停止させないようにすることもできる。ＧＰＳに基づく測位処理の機能は、例えば、子供との位置関係を確認する上で必要になる場合も考えられるので、この点を考慮する趣旨である。
【００８３】
（実施形態３）
携帯電話１において、ある時刻における携帯電話１００の想定位置に基づいて、動作モードを変更するようにしてもよい。
【００８４】
図１２は、実施形態３に係る携帯電話１による処理手順の一例を示す図である。図１２は、ある時刻における携帯電話１００の想定位置に基づいて、動作モードを変更する処理手順の一例である。図１２に示す処理手順は、その開始時において、携帯電話１の動作モードが通常モードであることを前提として説明する。図１２に示す処理手順は、コントローラ１０が、ストレージ９に記憶されている制御プログラム９Ａなどを実行することによって実現される。制御プログラム９Ａには、ある時刻における携帯電話１００の想定位置に基づいて、動作モードを変更するための機能が含まれる。コントローラ１０は、制御プログラム９Ａを実行することにより、ある時刻における携帯電話１００の想定位置に基づいて、動作モードを変更するための処理を実行する。
【００８５】
図１２に示すように、コントローラ１０は、ステップＳ６０１として、携帯電話１００から位置情報を取得すると、ステップＳ６０２として、ストレージ９の設定データＺから、現時刻における想定位置を取得する。携帯電話１は、携帯電話１００から一定時間ごとに送信される位置情報を取得することができるとともに、携帯電話１００に位置情報の送信を要求して取得することもできる。設定データＺには、例えば、子供の１日のスケジュールに応じて、時刻ごとの想定位置の情報が予め記録されるものとする。時刻は、数時間刻みでもよいし、数分刻みでもよいし、数時間刻みと数分刻みを組み合わせてもよいし、任意に設定可能である。
【００８６】
続いて、コントローラ１０は、ステップＳ６０３として、携帯電話１００から取得した位置情報に対応する位置と、設定データＺに記録された現時刻における想定位置とを比較し、携帯電話１００から取得した位置情報に対応する位置が、現時刻における想定位置と異なるかどうかを判定する。
【００８７】
コントローラ１０は、判定の結果、現時刻における想定位置と異ならない場合（想定の範囲内にある場合）には（ステップＳ６０３、Ｎｏ）、図１２に示す処理手順を終了する。ここで、携帯電話１００から取得した位置情報に対応する位置と、想定位置とが一定の距離以内にあれば、想定の範囲内にあると判断する。例えば、一定の距離については、該当年齢の子供の歩く速度の平均値で数分間に進める距離を基準とする。一方、コントローラ１０は、判定の結果、現時刻における想定位置と異なる場合には（ステップＳ６０３、Ｙｅｓ）、ステップＳ６０４として、省電力モードへ変更するか否かを問合せる確認ウィンドウをディスプレイ２に表示する。
【００８８】
続いて、コントローラ１０は、ステップＳ６０５として、省電力モードへの変更指示操作があったかどうかを判定する。コントローラ１０は、判定の結果、省電力モードへの変更指示操作があった場合には（ステップＳ６０５、Ｙｅｓ）、ステップＳ６０６として、動作モードを通常モードから省電力モードへ変更する。一方、コントローラ１０は、判定の結果、省電力モードへの変更指示操作がない場合には（ステップＳ６０５、Ｎｏ）、図１２に示す処理手順を終了する。
【００８９】
ステップＳ６０４における確認ウィンドウは、例えば、図７〜図１０に示すものと同様の構成を採用できる。図１３は、省電力モードへの変更操作を受け付けるための確認ウィンドウを待受画面に表示する例を示している。図１３に示すように、待受画面４０には、省電力モードへの変更操作を受け付けるための確認ウィンドウ４０ｂが表示される。コントローラ１０は、タッチスクリーン２１を介して、確認ウィンドウ４０ｂに表示された「Ｙｅｓ」に箇所に対するタッチを検出した場合には、省電力モードへの変更操作を受け付けたものと判定する。一方、コントローラ１０は、タッチスクリーン２１を介して、確認ウィンドウ４０ｂに表示された「Ｎｏ」に箇所に対するタッチを検出した場合には、例えば、確認ウィンドウ４０ｂの表示をディスプレイ２から消去する。
【００９０】
そして、コントローラ１０は、ステップＳ６０７として、省電力モードに従って各種機能の制御を実行し、図１２に示す処理手順を終了する。
【００９１】
（実施形態４）
携帯電話１において、携帯電話１から携帯電話１００に対する電話発信を行ったときに、携帯電話１００において着信に対する応答操作があるか否かに基づいて、動作モードを変更するようにしてもよい。
【００９２】
図１４は、実施形態４に係る携帯電話１による処理手順の一例を示す図である。図１４は、携帯電話１００において着信に対する応答操作があるか否かに基づいて、動作モードを変更する処理手順の一例である。図１４に示す処理手順は、その開始時において、携帯電話１の動作モードが通常モードであることを前提として説明する。図１４に示す処理手順は、コントローラ１０が、ストレージ９に記憶されている制御プログラム９Ａなどを実行することによって実現される。制御プログラム９Ａには、携帯電話１００において着信に対する応答操作があるか否かに基づいて、動作モードを変更するための機能が含まれる。コントローラ１０は、制御プログラム９Ａを実行することにより、携帯電話１００において着信に対する応答操作があるか否かに基づいて、動作モードを変更するための処理を実行する。
【００９３】
図１４に示すように、コントローラ１０は、ステップＳ７０１として、携帯電話１００への電話発信を行った後、ステップＳ７０２として、携帯電話１００において着信に対する応答操作があるかどうかを判定する。ここで、着信に対する応答操作とは、着信を受けて、通話を開始する操作であり、留守番電話のメッセージ出力に伴う応答や着信拒否による応答を含まない。
【００９４】
コントローラ１０は、判定の結果、着信に対する応答操作があった場合には（ステップＳ７０２、Ｙｅｓ）、図１４に示す処理手順を終了する。一方、コントローラ１０は、判定の結果、着信に対する応答操作がない場合には（ステップＳ７０２、Ｎｏ）、ステップＳ７０３として、省電力モードへ変更するか否かを問合せる確認ウィンドウをディスプレイ２に表示する。
【００９５】
続いて、コントローラ１０は、ステップＳ７０４として、省電力モードへの変更指示操作があったかどうかを判定する。コントローラ１０は、判定の結果、省電力モードへの変更指示操作があった場合には（ステップＳ７０４、Ｙｅｓ）、ステップＳ７０５として、動作モードを通常モードから省電力モードへ変更する。一方、コントローラ１０は、判定の結果、省電力モードへの変更指示操作がない場合には（ステップＳ７０４、Ｎｏ）、図１４に示す処理手順を終了する。ステップＳ７０３における確認ウィンドウは、例えば、図１３に示すものと同様の構成を採用できる。
【００９６】
そして、コントローラ１０は、ステップＳ７０６として、省電力モードに従って各種機能の制御を実行し、図１４に示す処理手順を終了する。
【００９７】
（実施形態５）
携帯電話１において、携帯電話１００における操作状況に基づいて、動作モードを変更するようにしてもよい。
【００９８】
図１５は、実施形態５に係る携帯電話１による処理手順の一例を示す図である。図１５は、携帯電話１００において、携帯電話１００における操作状況に基づいて、動作モードを変更する処理手順の一例である。図１５に示す処理手順は、その開始時において、携帯電話１の動作モードが通常モードであることを前提として説明する。図１５に示す処理手順は、コントローラ１０が、ストレージ９に記憶されている制御プログラム９Ａなどを実行することによって実現される。制御プログラム９Ａには、携帯電話１００における操作状況に基づいて、動作モードを変更するための機能が含まれる。コントローラ１０は、制御プログラム９Ａを実行することにより、携帯電話１００における操作状況に基づいて、動作モードを変更するための処理を実行する。
【００９９】
図１５に示すように、コントローラ１０は、ステップＳ８０１として、携帯電話１００の操作情報を取得し、ステップＳ８０２として、携帯電話１００において、所定時間内における操作の形跡があるかどうかを判定する。ここで、操作情報は、例えば、ボタン操作に関する操作履歴、ディスプレイ２のウェイクアップ履歴、又はアプリケーションの操作履歴と、時刻とを関連付けるなどして、携帯電話１００の利用者（例えば、子供）による操作の形跡を確認できるものであればよい。操作情報は、携帯電話１００から一定のタイミングで自動的に携帯電話１に送信するようにしてもよいし、携帯電話１から要求を送信して携帯電話１００に送信させるようにしてもよい。
【０１００】
コントローラ１０は、判定の結果、操作の形跡がある場合には（ステップＳ８０２、Ｙｅｓ）、図１５に示す処理手順を終了する。一方、コントローラ１０は、判定の結果、所定時間内における操作の形跡がない場合には（ステップＳ８０２、Ｎｏ）、ステップＳ８０３として、省電力モードへ変更するか否かを問合せる確認ウィンドウをディスプレイ２に表示する。
【０１０１】
続いて、コントローラ１０は、ステップＳ８０４として、省電力モードへの変更指示操作があったかどうかを判定する。コントローラ１０は、判定の結果、省電力モードへの変更指示操作があった場合には（ステップＳ８０４、Ｙｅｓ）、ステップＳ８０５として、動作モードを通常モードから省電力モードへ変更する。一方、コントローラ１０は、判定の結果、省電力モードへの変更指示操作がない場合には（ステップＳ８０４、Ｎｏ）、図１５に示す処理手順を終了する。ステップＳ８０３における確認ウィンドウは、例えば、図１３に示すものと同様の構成を採用できる。
【０１０２】
そして、コントローラ１０は、ステップＳ８０６として、省電力モードに従って各種機能の制御を実行し、図１５に示す処理手順を終了する。
【０１０３】
（実施形態６）
上記の実施形態では、携帯電話１が、携帯電話１００から受信した通知の内容が緊急性の高いものである場合に、動作モードを省電力モードに変更する例を説明したが、例えば、所定の条件に応じて、報知制御に関するモードを変更するようにしてもよい。
【０１０４】
図１６は、実施形態６に係る携帯電話１による処理手順の一例を示す図である。図１６は、携帯電話１００から受信した通知の内容が緊急性の高いものである場合に、マナーモードを解除する処理手順の一例である。図１６に示す処理手順は、コントローラ１０が、ストレージ９に記憶されている制御プログラム９Ａなどを実行することによって実現される。制御プログラム９Ａには、携帯電話１００から受信した通知の内容が緊急性の高いものである場合に、マナーモードを解除するための機能が含まれる。コントローラ１０は、制御プログラム９Ａを実行することにより、携帯電話１００から受信した通知の内容が緊急性の高いものである場合に、マナーモードを解除するための処理を実行する。
【０１０５】
携帯電話１００から所定の通知を受信すると、コントローラ１０は、図１６に示すように、ステップＳ９０１として、所定の通知の内容が緊急性の高いものであるかどうかを判定する。
【０１０６】
コントローラ１０は、判定の結果、所定の通知の内容が緊急性の高いものではない場合には（ステップＳ９０１、Ｎｏ）、図１６に示す処理手順を終了する。一方、コントローラ１０は、判定の結果、所定の通知の内容が緊急性の高いものである場合には（ステップＳ９０１、Ｙｅｓ）、ステップＳ９０２として、携帯電話１の報知制御に関するモードがマナーモードであるか否かを判定する。ここで、マナーモードとは、音による報知は行わない設定状態に該当し、例えば、バイブレータ１８のみによる報知、光のみによる報知を行う状態を含まない。
【０１０７】
コントローラ１０は、判定の結果、マナーモードではない場合には（ステップＳ９０２、Ｎｏ）、図１６に示す処理手順を終了する。一方、コントローラ１０は、マナーモードである場合には（ステップＳ９０２、Ｙｅｓ）、ステップＳ９０３として、マナーモードを解除する。マナーモードを解除することにより、コントローラ１０は、携帯電話１００からの所定の通知の受信を利用者に報知するために、少なくとも音を出力する報知制御のモードに移行する。
【０１０８】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【０１０９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【０１１０】
１  携帯電話
２  ディスプレイ
３  ボタン
４  照度センサ
５  近接センサ
６  通信ユニット
８  マイク
９  ストレージ
９Ａ  制御プログラム
９Ｂ  通話アプリケーション
９Ｃ  音楽再生アプリケーション
９Ｄ  動画再生アプリケーション
９Ｅ  地図表示アプリケーション
９Ｚ  設定データ
１０  コントローラ
１１  スピーカ
１２  カメラ
１５  姿勢検出ユニット
１８  バイブレータ
２１  タッチスクリーン
【図１】
2014027566.tif 000003
【図２】
2014027566.tif 000004
【図３】
2014027566.tif 000005
【図４】
2014027566.tif 000006
【図５】
2014027566.tif 000007
【図６】
2014027566.tif 000008
【図７】
2014027566.tif 000009
【図８】
2014027566.tif 000010
【図９】
2014027566.tif 000011
【図１０】
2014027566.tif 000012
【図１１】
2014027566.tif 000013
【図１２】
2014027566.tif 000014
【図１３】
2014027566.tif 000015
【図１４】
2014027566.tif 000016
【図１５】
2014027566.tif 000017
【図１６】
2014027566.tif 000018